(57)【要約】【課題】  かご室内より取り付け、取り外しが可能なエレベータのかご室鏡装置を得る。【解決手段】かご室内に設けられた鏡板と、鏡板が取り付けられた鏡板取付部材と、鏡板取付部材が取り付けられたかご室側取付部材とを備え、かご室側取付部材が、正面から視て鏡板と鏡板取付部材とで形成された面の内側に配置してかご室に取り付けられ、鏡板取付部材がかご室側取付部材に対して外側より鏡板の正面に直交した面に取り付けられている。【選択図】  図６
2008168975.tif 000002
【特許請求の範囲】
【請求項１】
かご室内に設けられた鏡板と、
前記鏡板が取り付けられた鏡取付部材と、
正面から視て前記鏡板と前記鏡板取付部材とで形成された面の内側に配置して前記かご室に取り付けられ、外側より前記鏡板の正面に直交した面に前記鏡板取付部材が取り付けられたかご室側取付部材と、
を備えたことを特徴とするエレベータのかご室内鏡装置。
【請求項２】
かご室内に設けられた鏡板と、
前記鏡板が取り付けられた鏡板取付部材と、
正面から視て前記鏡板と前記鏡板取付部材とで形成された面の内側で、前記鏡板の下側に配置して前記かご室に取り付けられ、外側より前記鏡板の正面に直交した面に前記鏡板取付部材が取り付けられたかご室側取付部材と、
正面から視て前記鏡板と前記鏡板取付部材とで形成された面の内側で、前記鏡板の上側に配置して前記かご室に取り付けられ、前記鏡板取付部材が引掛けられた引掛け機構と、
を備えたことを特徴とするエレベータのかご室内鏡装置。
【請求項３】
かご室内に設けられた鏡板と、
前記鏡板が取り付けられた鏡板取付部材と、
正面から視て前記鏡板と前記鏡板取付部材とで形成された面の内側で、前記鏡板の上側に配置して前記かご室に取り付けられ、外側より前記鏡板の正面に直交した面に前記鏡板取付部材が取り付けられたかご室側取付部材と、
正面から視て前記鏡板と前記鏡板取付部材とで形成された面の内側で、前記鏡板の下側に配置して前記かご室に取り付けられ、前記鏡板取付部材が引掛けられた引掛け機構と、
を備えたことを特徴とするエレベータのかご室内鏡装置。
【請求項４】
前記鏡板取付部材及び前記かご室側取付部材は、前記鏡板の少なくとも２箇所の縁部に互いに対峙して配置されたことを特徴とする請求項１に記載のエレベータのかご室内鏡装置。
【請求項５】
前記引掛け機構は、前記鏡板取付部材を引掛けるとともに、前記鏡板取付部材を前記かご室に押え付ける押付け部材を有することを特徴とする請求項２または３に記載のエレベータのかご室内鏡装置。
【請求項６】
前記鏡板取付部材は、一部が断面コ字状に形成されており、このコ字状部内に前記鏡板の縁部を嵌合したこと
を特徴とする請求項１から５のいずれかに記載のエレベータのかご室内鏡装置。
【請求項７】
前記鏡取付部材はロ字状の枠材からなり、一部が断面コ字状に形成され、このコ字状内に前記鏡板の縁部を嵌合し、両端部を互いに突き合せて接合されて前記鏡板の四方を包囲する、左右両側部枠材、上側部枠材及び下側部枠材とを有し、この左右両側部枠材の両端部と上側部枠材及び下側部枠材の両端部とに跨ってそれぞれ配置され、互いに隣接する枠材同士を連結する枠材接合部材を備えた
ことを特徴とする請求項１、２、３、５のいずれかに記載のエレベータのかご室内鏡装置。
【請求項８】
前記鏡板取付部材は、前記断面コ字状部の外方に設けられるとともに前記鏡板の直交方向で背面側に開口した溝部を有し、前記かご室側取付部材はＬ字状に形成され、前記Ｌ字状の一側の部分が前記溝部内に開口部から挿入されて、前記鏡板取付部材が前記かご室取付部材に取り付けられ、前記Ｌ字状の他側の部分が前記かご室に取り付けられていることを特徴とする請求項６または７に記載のエレベータのかご室内鏡装置。
【請求項９】
前記溝部は、前記鏡板取付部材の全長に亘って設けられ、断面視において、＋字状に形成され、一側が前記鏡板の直交方向で背面側に開口している開口溝と、他側が前記開口溝に直交した閉口溝とで形成されおり、前記開口溝の開口部から前記かご室側取付部材のＬ字状の一側が挿入されて、前記鏡板取付部材が前記かご室取付部材に取り付けられ、前記閉口溝内にナットが挿入され、前記枠材接合部材がボルトで前記ナットに固定されている
ことを特徴とする請求項８に記載のエレベータのかご室内鏡装置。
【請求項１０】
前記左右両側部枠材及び／又は前記上下両側部枠材を端部以外で連結する枠材連結部材を備えている
ことを特徴とする請求項７または９に記載のエレベータのかご室内鏡装置。
【請求項１１】
前記鏡板と前記断面コ字状部との間に緩衝材を備えたことを特徴とする請求項６から１０のいずれかに記載のエレベータのかご室鏡装置。
【請求項１２】
前記鏡板取付部材は、端面が前記かご室に当接する当接部を有することを特徴とする請求項１から１１のいずれかに記載のエレベータのかご室鏡装置。
【発明の詳細な説明】
【技術分野】
【０００１】
この発明は、エレベータのかご室内に設置される鏡装置に関するものである。
【背景技術】
【０００２】
従来のエレベータのかご室鏡装置においては、鏡板と、鏡板の裏面に接着され、埋め込みネジが設けられた取付板とを備え、埋め込みネジをかご室の壁に貫通させて、かご室の外側より埋め込みネジをナットでかご室の壁に固定することで、鏡板をかご室に取り付けている（例えば、特許文献１参照）。
【０００３】
【特許文献１】特開２００４−１６１４５９号公報（第２−３頁、第１図）
【発明の開示】
【発明が解決しようとする課題】
【０００４】
従来のエレベータのかご室鏡装置では、鏡板の裏面に接着された取付板が埋め込みネジによってかご室の外側から取り付けられるため、作業者は、鏡板をかご室内に持ち込んで仮設置した後、かご室の外側から埋め込みネジをナットに締結し、鏡板をかご室の壁に取り付ける。そのため、取り付けの作業場所が一箇所でなく作業効率がよくないという問題点があった。
この発明は、かかる問題点を解決するためになされたもので、かご室内より取り付け、取り外しが可能なエレベータのかご室鏡装置を得ることを目的としている。
【課題を解決するための手段】
【０００５】
この発明に係るエレベータのかご室鏡装置においては、かご室内に設けられた鏡板と、鏡板が取り付けられた鏡板取付部材と、鏡板取付部材が取り付けられたかご室側取付部材とを備え、かご室側取付部材が、正面から視て鏡板と鏡板取付部材とで形成された面の内側に配置してかご室に取り付けられ、鏡板取付部材が外側よりかご室側取付部材の鏡板の正面に直交した面に取り付けられている。
【発明の効果】
【０００６】
この発明は、かご室側取付部材がかご室に取り付けられ、鏡板取付部材がかご室側取付部材に対して外側より鏡板の正面に直交した面に取り付けられていることにより、作業者は鏡板をかご室内から取り付け、取り外しできる。
【発明を実施するための最良の形態】
【０００７】
実施の形態１．
図１はこの発明の実施の形態１におけるエレベータのかご室鏡装置をかご室に設置された透視図を示すものである。図２はこの発明の実施の形態１におけるエレベータのかご室鏡装置の正面図で、図３は図２のＡ部詳細図である。図４は図３のＢ−Ｂ断面図で、図５は図２のＣ−Ｃ断面図である。図６は図２のＤ−Ｄ断面図を示すものである。
【０００８】
図において、エレベータのかご室１は、かご室１の側面にかご室壁２と、かご室１の上面の天井３と、かご室１の床面となるかご室床４とを有している。そして、かご室鏡装置５がかご室壁２の一側面に取り付けられている。かご室鏡装置５は、四角状の鏡板６と、鏡板６の周囲に取り付けられた鏡板取付部材７と、鏡板取付部材７が取り付けられてかご室壁２に取り付けられたかご室側取付部材８とを有している。鏡板６は正面側、即ちかご室１内から視た正面側に鏡面が映し出されている。
【０００９】
鏡板取付部材７は、ロ字状の枠材からなり、鏡板６の周囲を囲むように取り付けられている。また、鏡板取付部材７は、左側部枠材７ａと、右側部枠材７ｂと、上側部枠材７ｃと、下側部枠材７ｄとを有している。そして、鏡板取付部材７は、断面コ字状の部分を有し、このコ字状部に鏡板６の縁部を嵌合している。左右両側部枠材７ａ、７ｂと上下両側部枠材７ｃ、７ｄの両端部は斜めに形成されている。そして、左右両側部枠材７ａ、７ｂと上下両側部枠材７ｃ、７ｄは両端部の斜面を互いに突き合わせて接合されている。
【００１０】
板状の枠材接合部材１０は、左右両側部枠材７ａ、７ｂの両端部と上側部枠材７ｃ及び下側部枠材７ｄの両端部とに跨って鏡板６の背面側に配置されて、互いに隣接する枠材同士を連結している。これにより、全体として鏡板６の周囲を囲むロ字状の枠材からなる鏡板取付部材７が構成される。
【００１１】
図４及び図５に示すように、鏡板取付部材７は断面コ字状部の外方に全長に亘って溝部１１を有している。この溝部１１は、断面視において、＋字状に形成されて、一側が鏡板６の直交方向で鏡板６の背面側に開口している開口溝１１ａと、他側が開口溝１１ａに直交した閉口溝１１ｂとで形成されている。
【００１２】
左右両側部枠材７ａ、７ｂと上下両側部枠材７ｃ、７ｄは両端部において、それぞれナット１２ａが閉口溝１１ｂの鏡板６の背面側にある端面１１ｃに当接するように、この閉口溝１１ｂ内に挿入されている。そして、ボルト１２ｂが枠材接合部材１０の図示しない取付穴に差し込まれて、ナット１２ａに締結されることで、枠材接合部材１０が鏡板６の背面側より互いに隣接する枠材同士を連結する。
【００１３】
図２に示すように、かご室側取付部材８は、正面から視て鏡板６と鏡板取付部材７とで形成された面の内側で、上下両側に配置されている。また、図６に示すように、かご室側取付部材８は断面がＬ字状に形成されて、鏡板６の正面に直交した面を有するＬ字状の一側の第１取付部８ａとＬ字状の他側の第２取付部８ｂを有している。第１取付部８ａが上側部枠材７ｃの開口溝１１ａの開口部から挿入されて上側部枠材７ｃに固定されている。そして、第２取付部８ｂがかご室壁２に固定されている。
【００１４】
上側部枠材７ｃには、取付穴１３が、鏡板６の正面と直交した外側より閉口溝１１ｂを貫通するように設けられている。そして、第１取付部８ａが閉口溝１１ｂの両側で外方側にある開口溝１１ａの端面１１ｄに当接し、取付穴１３に差し込まれたボルト１４が第１取付部８ａに設けられた図示しないネジ穴に締め付けられている。これにより、上側部枠材７ｃがかご室側取付部材８に対して外側より鏡板６の正面に直交した面に取り付けられる。
【００１５】
また、第２取付部８ｂがかご室壁２の内面に当接し、かご室壁２の内側より第２取付部８ｂの図示しない取付穴に差し込まれたボルト１６がかご室壁２の外側に設けられたナット１７に締め付けられている。これにより、かご室側取付部材８がかご室壁２に取り付けられる。また、詳細な説明は省略するが、下側部枠材７ｄについても同様にかご室壁２に取り付けられている。以上により、鏡板６が鏡板取付部材７及びかご室側取付部材８を介してかご室壁２に取り付けられる。
【００１６】
また、鏡板取付部材７の断面コ字状の部分には、鏡板６の背面及び縁面に対向した緩衝材１８が設けられている。この緩衝材１８は、弾力性のある材質で、好ましくはゴム、フェルトである。図２に示すように、緩衝材１８は、左右両側部枠材７ａ、７ｂの長手方向における両端部と中央部に設けてあり、上下両側部枠材７ｃ、７ｂの長手方向における両端部に設けてある。
また、鏡板取付部材７には、鏡板６の背面側へ突出した当接部１９が外方に設けられている。そして、この当接部１９の端面がかご室壁２に当接するように、鏡板取付部材７が取り付けられる。
【００１７】
この発明の実施の形態１は以上説明したように構成され、以下に記載されるような効果を奏する。
鏡板取付部材７が外側よりかご室側取付部材８の鏡板６の正面に直交した面に取り付けられているので、作業者は、締結部材であるボルト１４をかご室１内より締め付けでき、かご室１内で鏡板６を鏡板取付部材７とともに取り付け及び取り外しができる。そのため、作業者は、昇降路にアクセスせずにかご室１内で鏡板６の据付作業や交換作業を容易に行うことができる。また、鏡板取付部材７のかご室側取付部材８への取付面が鏡板６の正面に直交した面であるので、締結部材であるボルト１４が鏡板６の正面に露出せず見栄えがよい。また、かご室側取付部材８が、正面から視て鏡板６と鏡板取付部材７とで形成された面の内側に配置してかご室壁２に取り付けられているので、一般の利用者からはかご室側取付部材８が見えず見栄えが向上する。
【００１８】
また、鏡板取付部材７の上下両側部枠材７ｃ、７ｄとかご室側取付部材８とが、鏡板６の上下の縁部に互いに対峙して配置されているので、鏡板６を安定的に取り付けることができる。
また、鏡板取付部材７は断面コ字状の部分に鏡板６の縁部を嵌合しているので、鏡板６と鏡板取付部材７とが接着などで固定されるのでなく、嵌め込みで取り付けられることができ、組付け作業が容易となるとともに取り外し作業も容易となる。
【００１９】
鏡板取付部材７は、左右両側部枠材７ａ、７ｂと上下両側部枠材７ｃ、７ｄを有したロ字状の枠材で鏡板６の周囲を囲むように取り付けられているので、鏡板６が四方に外れることがなく確実にかご室壁２に取り付けることができる。また、左右両側部枠材７ａ、７ｂと上下両側部枠材７ｃ、７ｄの両端部において、枠材接合部材１０が、互いに隣接する枠材同士をボルト１２ｂで連結している。これにより、枠材同士が接着などで接合するのでなく、ボルト１２ｂのような締結部材で組付けることができ、組付け作業及び取り外し作業が容易となる。
【００２０】
鏡板取付部材７は、鏡板６の背面側に開口した溝部１１を断面コ字状部の外方に有し、断面Ｌ字状に形成されたかご室側取付部材８は、一側の第１取付部８ａを溝部１１内に開口部から挿入されて鏡板取付部材７に固定し、他側の第２取付部８ｂをかご室壁２に固定している。このような構成により、鏡板取付部材７は、上方から視た投影上で鏡板６に重なるようにかご室側取付部材８に取り付けられるので、鏡板６が、かご室壁２から大きく出っ張ることなくかご室壁２に取り付けることができる。
【００２１】
溝部１１は、左右両側部枠材７ａ、７ｂと上下両側部枠材７ｃ、７ｄのそれぞれ全長に亘って形成されており、断面視において開口溝１１ａと閉口溝１１ｂを有した＋字状に形成されている。そして、かご室側取付部材８の第１取付部８ａが、開口溝１１ａに挿入されて上下両側部枠材７ｃ、７ｄに取り付けられ、ナット１２ａが閉口溝１１ｂ内に挿入されて、枠材接合部材１０が左右両側部枠材７ａ、７ｂと上下両側部枠材７ｃ、７ｄは両端部をボルト１２ｂとナット１２ａとで連結している。これにより、鏡板取付部材７は同一の溝形状でかご室側取付部７への取り付けと枠材同士の連結を行うことでき、鏡板取付部材７の溝１１をそれぞれ別の形状で製造することがないので製造が容易となる。また、溝部１１がそれぞれ枠材の全長に亘って形成されているので、引抜きあるいは押出し加工ができ、さらに製造が容易となる。
【００２２】
また、鏡板取付部材７の断面コ字状の部分には、鏡板６の背面及び縁面に対向するように緩衝材１８が設けられている。これにより、鏡板６は鏡板取付部材７に隙間ない状態で取り付けられ、ガタツキが防止されるので、鏡板６と鏡板取付部材７との接触音が発生しなくなるとともに、鏡板６を保護できる。
また、当接部１９の端面がかご室壁２に当接するように、鏡板取付部材７が取り付けられるので、鏡板取付部材７とかご室壁２との隙間がなく、物、例えば利用者の指などが挟まれることがない。
【００２３】
実施の形態２．
図７は、この発明の実施の形態２におけるエレベータかご室鏡装置を示す図で、実施の形態１の図２に相当する図である。図８は図７の断面Ｅ−Ｅを示す図である。実施の形態２は、実施の形態１に対して上側部枠材７ｃとかご室側取付部材８との取り付け構造が異なる。
【００２４】
図７及び図８において、実施の形態２は、上部側に引掛け機構２１を設け、下部側にかご室側取付部材８を設けている。そして、引掛け機構２１とかご室側取付部材８に鏡板取付部材７が取り付けられている。引掛け機構２１は、引掛け部材２２と係合部材２３を有している。引掛け部材２２は、上側部枠材７ｃの鏡板６の背面側に配置されて、枠材接合部材１０と同様に、ナット１２ａとボルト１２ｂとで上側部枠材７ｃに取り付けられている。また、引掛け部材２２は断面Ｚ字状で形成され、一側の引掛け部２２ａが下方向へ突き出て鏡板６の背面側へ出っ張るように、上側部枠材７ｃに取り付けられている。一方、係合部材２３は断面Ｚ字状に形成され、一側の係合部２３ａが上方向へ突き出て鏡板６の正面側へ出っ張るように、かご室壁２にボルト１６で取り付けられている。
【００２５】
係合部２３ａとかご室壁２との間に、引掛け部材２２の引掛け部２２ａが挿入され、係合部２３ａの上部端面が引掛け部材２２に当接されて、上側部枠材７ｃがかご室壁２に取り付けられる。このとき、引掛け部２２ａは係合部２３ａとの間に隙間を有して挿入されている。また、引掛け部２２ａには、係合部２３ａに挿入される側の角が面取り形状に形成されている。下側部枠材７ｄは実施の形態１と同様にかご室側取付部材８を介してかご室壁２に取り付けられている。以上により、鏡板６が鏡板取付部材５とかご室側取付部材８及び引掛け機構２１を介してかご室壁２に取り付けられる。なお、実施の形態１と同符号のものは相当部分を示す。
【００２６】
以上のように、実施の形態２によれば、鏡板取付部材７の上側部枠材７ｃが引掛け機構２１でかご室壁２に引っ掛けて取り付けられているので、ボルトなどの締結部材が不要で、取り付け作業が容易となる。また、ボルトなどの締結部材が露出しなく見栄えもよい。
また、引掛け部２２ａは係合部２３ａとの間に隙間を有しているので、引掛け部材２２をこじることなく係合部材２３に引掛けることができる。さらに、引掛け部２２ａには、係合部２３ａに挿入される側の角が面取り形状に形成されているので、引掛け部材２２を円滑に係合部材２３に引掛けることができる。なお、引掛け部２２ａの面取り形状は円弧状でもよい。
【００２７】
実施の形態３．
図９はこの発明の実施の形態３におけるエレベータのかご室鏡装置を示す図であり、実施の形態２の図８に相当する図である。実施の形態３は、実施の形態２に対して引掛け機構２１の構造が異なる。
図９において、引掛け機構２４は、実施の形態２と同様な引掛け部材２５と押付け部材２６とを有している。引掛け部材２５は実施の形態２と同様に上側部枠材７ｃに取り付けられている。一方、押付け部材２６は断面ヘ字状に形成され、一側の押付け部２６ａが上方向へ突き出て鏡板６の正面側へ出っ張るように、かご室壁２にボルト１６で取り付けられている。押付け部２６ａとかご室壁２との間に、引掛け部材２５の引掛け部２５ａが挿入されるとともに、押付け部２６ａの一面が引掛け部２５ａに当接されて、上側部枠材７ｃがかご室壁２に取り付けられる。このとき、上側部枠材７ｃの当接部１９がかご室壁２に押さえ付けられるように、押付け部２６ａの一面が引掛け部２５ａに当接する。また、引掛け部２５ａには、押付け２６ａに当接される側の角が面取り形状に形成されている。なお、実施の形態２と同符号のものは相当部分を示す。
【００２８】
以上のように、実施の形態３によれば、上側部枠材７ｃの当接部１９がかご室壁２に押さえ付けられるように、押付け部材２６の押付け部２６ａの一面が引掛け部２５ａに当接している。これにより、実施の形態２と同様な効果を奏するとともに、上側部枠材７ｃにガタツキがなく、鏡板取付部材７を安定的にかご室壁２に取り付けることができる。
また、引掛け部２５ａには、押付け２６ａに当接される側の角が面取り形状に形成されているので、引掛け部材２５を円滑に押付け部材２６に挿入することができる。なお、引掛け部２５ａの面取り形状は円弧状でもよい。
また、図示しないが、実施の形態２において、引掛け部２２ａと係合部２３ａとの隙間に弾性部材を設けてもよい。この場合、弾性部材が押付け部材２６の機能を果たし、上側部枠材７ｃがかご室壁２に押さえ付けられるように取り付けられる。
【００２９】
実施の形態４．
図１０はこの発明の実施の形態４におけるエレベータのかご室鏡装置を示す図である。図１１は図１０のＦ−Ｆ断面図を示す図である。実施の形態４は、実施の形態１に対して対峙した枠材を両端以外の箇所で連結したものである。図において、板状の枠材連結部材２６が、左側部枠材７ａと右側部枠材７ｂの中央部をそれぞれ連結している。図１１に示すように、ナット１２ａが閉口溝１１ｂの鏡板６の背面側にある端面１１ｃに当接するように、この閉口溝１１ｂ内に挿入されている。そして、ボルト１２ｂが枠材連結部材２７の図示しない取付穴に差し込まれて、ナット１２ａに締結されることで、枠材連結部材２７が鏡板６の背面側より左側部枠材７ａと右側部枠材７ｂを連結している。
【００３０】
この実施の形態４によれば、枠材連結部材２７が左右両側部枠材７ａ、７ｂ同士を両端以外の箇所で連結したので、左側部枠材７ａと右側部枠材７ｂとが離間しにくくなり、鏡板６が外れにくくなる。特に、左右両側部枠材７ａ、７ｂが長い場合、両端のみの連結では、中央部に何らかの外力が加わるとたわみ易くなるが、枠材連結部材２７で連結されることで、たわみにくくなり、枠材同士を強固に連結することができる。
【００３１】
また、枠材連結部材２７は、枠材接合部材１０の取り付けと同様に、溝部１１に挿入されたナット１２ａで取り付けられる。これにより、新たに取り付け部位を設けることなく、枠材連結部材２７を取り付けることができる。また、溝部１１は鏡板取付部材７の全長に亘って有しているので、枠材連結部材２７を鏡板取付部材７の任意の位置に取り付けることができる。
【００３２】
なお、実施の形態１は、鏡板取付部材７をロ字状の枠材で構成し、上下両側部枠材７ｃ、７ｄにかご室側取付部材８を取り付けた構造としたが、これに制限されない。鏡板取付部材７は、左右両側部枠材７ａ、７ｂがなく上下両側部枠材７ｃ、７ｄで構成したものでもよい。また、実施の形態１は、鏡板取付部材７を上下両側部枠材７ｃ、７ｄがなく左右両側部枠材７ａ、７ｂで構成し、左右両側部枠材７ａ、７ｂにかご室側取付部材８を取り付けた構造としてもよい。このように、鏡板取付部材７とかご室側取付部材８とが、鏡板６の２箇所の縁部に互いに対峙して配置されている構成でも、鏡板６を安定的に取り付けることができるとともに、作業者は、昇降路にアクセスせずにかご室１内で鏡板６の据付作業や交換作業を容易に行うことができる。
【００３３】
また、実施の形態１では、鏡板取付部材７は断面コ字状の部分と溝部１１を有し、断面コ字状部内に鏡板６を嵌め込み、溝部１１内にＬ字状に形成されたかご室側取付部材８の第１取付部８ａを挿入して取り付けたが、これに制限されない。鏡板取付部材７は断面コ字状部や溝部１１を有しなくても、かご室側取付部材８がＬ字状に形成されてなくともよい。
【００３４】
例えば、図１２のように構成してもよい。図１２は他の実施の形態を示す図で、実施の形態１の図６に相当する図である。図１２において、鏡板取付部材２８は、上部側にブロック状に形成された上側部枠材２８ｃと、下部側にブロック状に形成された下側部枠材２８ｄとを有している。この上側部枠材２８ｃの一側の端面に鏡板６の上部が取り付けられている。同様に、鏡板６の下部が下側部枠材２８ｄの一側の端面に取り付けられている。そして、ブロック状に形成したかご室側取付部材２９が、上側部枠材２８ｃと下側部枠材２８ｄの鏡板６の正面に直交した内面にボルト１４で取り付けられて、かご室壁２に取り付けられている。このように、鏡板が鏡板取付部材に取り付けられ、かご室側取付部材が、正面から視て鏡板と鏡板取付部材とで形成された面の内側に配置してかご室壁に取り付けられ、鏡板取付部材がかご室側取付部材に対して外側より鏡板の正面に直交した面に取り付けられた構成であればよい。このような構成でも、作業者は、昇降路にアクセスせずにかご室内で鏡板の据付作業や交換作業を容易に行うことができる。
【００３５】
また、実施の形態２は、鏡板取付部材７の上側部枠材７ｃが引掛け機構２１を介してかご室壁２に引っ掛けて取り付けられ、下側部枠材７ｄがかご室側取付部材８を介してかご室壁２に取り付けた構成としたが、これに制限されない。図８において上下対称に逆にした構成、即ち、下側部枠材７ｄが引掛け機構２１を介してかご室壁２に引っ掛けて取り付けられ、上側部枠材７ｃがかご室側取付部材８を介してかご室壁２に取り付けた構成としてもよい。また、引掛け部材２２は上側部枠材７ｃと一体的に構成してもよく、枠材接合部材１０と一体的に構成してもよい。また、引掛け部材２２と係合部材２３は断面Ｚ字状に形成したが、鏡板取付部材７がかご室壁２に引っ掛けられる構成であればよく、このような構成でも同様な効果を奏する。
【００３６】
また、実施の形態４は、枠材連結部材２７が左右両側部枠材７ａ、７ｂを連結したが、上下両側部枠材７ｃ、７ｄを連結してもよく、左右両側部枠材７ａ、７ｂ及び上下両側部枠材７ｃ、７ｄを連結してもよい。
また、各実施の形態の緩衝材１８は、各枠材の全長において両端部あるいは中央部に設けたが、全長に設けてもよく、鏡板６のガタツキが防止できるのであれば、取付箇所や長さに制限されない。また、緩衝材１８は鏡板の背面と縁部側に設けたが、鏡板の正面と縁部側に設けてもよい。なお、緩衝材１８は鏡板の正面と背面及び縁部側に設けてもよく、このとき、さらに鏡板６を保護できる。
【００３７】
また、各実施の形態は、左右両側部枠材７ａ、７ｂと上下両側部枠材７ｃ、７ｄの両端部を斜めに形成し、この斜面を突き合わせて連結しているが、これに制限されない。水平面あるいは垂直面に形成し突き合わせて連結してもよく、両端部を互いに突き合わせて連結した構成であればよい。
【００３８】
また、各実施の形態は、かご室鏡装置をかご室壁２に取り付けたが、かご室天井３などかご室１内のいずれの箇所に取り付けてもよい。図１３は、実施の形態１，２，３，４のいずれかのかご室鏡装置をかご室壁２以外に取り付けた例を示したものである。図において、かご室１ａは出入り口が二方向にあるもので、図の対面にドア２ａと手前に図示しないドアが設けてある。ドア２ａの上側には欄間２ｂがある。この欄間２ｂにかご室鏡装置５が、実施の形態１，２，３，４と同様に取り付けられている。これにより、２方口にドアがあるかご室にも取り付けることができる。特に車イス利用者が後ろ向きでドアから出る際に、欄間２ｂに取り付けられた鏡板を使って後方を目視できる。
【図面の簡単な説明】
【００３９】
【図１】この発明の実施の形態１におけるエレベータのかご室鏡装置をかご室に設置した透視図を示すものである。
【図２】この発明の実施の形態１におけるエレベータのかご室鏡装置の正面図である。
【図３】図２のＡ部詳細を示す図である。
【図４】図２のＢ−Ｂ断面図である。
【図５】図２のＣ−Ｃ断面図である。
【図６】図２のＤ−Ｄ断面図である。
【図７】この発明の実施の形態２におけるエレベータのかご室鏡装置の正面図である。
【図８】図２のＥ−Ｅ断面図である。
【図９】この発明の実施の形態３におけるエレベータのかご室鏡装置の断面図である。
【図１０】この発明の実施の形態４におけるエレベータのかご室鏡装置の正面図である。
【図１１】図１０のＦ−Ｆ断面図である。
【図１２】この発明の他の実施の形態におけるエレベータのかご室鏡装置を示すものである。
【図１３】この発明の実施の形態１，２，３，４のいずれかにおけるエレベータのかご室鏡装置を欄間に設置した透視図を示すものである。
【符号の説明】
【００４０】
１  かご室  、２  かご室壁  、  ３  かご室天井  、  ４  かご室床  、
５  かご室鏡装置  、  ６  鏡板  、  ７  鏡板取付部材  、
７ａ  左側部枠材  、  ７ｂ  右側部枠材  、
７ｃ  上側部枠材  、  ７ｄ  下側部枠材  、
８  かご室側取付部材  、  
１０  枠材接合部材  、  １１  溝部  、  １１ａ  開口溝部  、  １１ｂ  閉口溝部１２ａ  ナット  、  １２ｂ  ボルト  、  １３  取付穴  、  １４  ボルト  、
１６  ボルト  、  １７  ナット  、  １８  緩衝材  、  １９  当接部  、
２１  引掛け機構  、  ２２  引掛け部材  、  ２２ａ  引掛け部  、
２３  係合部材  、  ２３ａ  係合部  、  
２４  引掛け機構  、２５  引掛け部材  、  ２５ａ  引掛け部  、
２６  押付け部材  、  ２６ａ  押付け部  、
２７  枠材連結部材  、２８  鏡板取付部材  、  ２９  かご室側取付部材
【図１】
2008168975.tif 000003
【図２】
2008168975.tif 000004
【図３】
2008168975.tif 000005
【図４】
2008168975.tif 000006
【図５】
2008168975.tif 000007
【図６】
2008168975.tif 000008
【図７】
2008168975.tif 000009
【図８】
2008168975.tif 000010
【図９】
2008168975.tif 000011
【図１０】
2008168975.tif 000012
【図１１】
2008168975.tif 000013
【図１２】
2008168975.tif 000014
【図１３】
2008168975.tif 000015